(57)【要約】  【課題】  レンズホルダに搭載された基板にワイヤが接続される作業を従来より容易化することができる光ヘッド装置を提供する。  【解決手段】  光ヘッド装置のレンズホルダ８０は、ワイヤ１０１〜１０３の延在方向に延在して中継基板８１が搭載された基板搭載壁８０ａと、基板搭載壁８０ａに対してワイヤ１０１〜１０３の延在方向に隣接してトラッキング駆動コイルが搭載されたコイル搭載壁８０ｂと、引き出し線９２ａに係合して引き出し線９２ａを中継基板８１に導く突起８４ｃとを有し、突起８４ｃは、引き出し線９２ａが基板搭載壁８０ａの傍においてワイヤ１０１〜１０３の並び方向にワイヤ１０１〜１０３とずれてワイヤ１０１〜１０３と略平行になるように、引き出し線９２ａを中継基板８１に導くことを特徴とする。【選択図】  図１１
2009238295.tif 000002
【特許請求の範囲】
【請求項１】
対物レンズを搭載したレンズホルダと、前記レンズホルダに搭載されて前記レンズホルダを駆動させる駆動コイルと、前記レンズホルダを可動状態に支持するワイヤと、前記レンズホルダに搭載されて前記駆動コイルの端末および前記ワイヤを電気的に接続する中継基板とを有し、
前記レンズホルダは、前記ワイヤの延在方向に延在して前記中継基板が搭載された基板搭載部と、前記基板搭載部に対して前記延在方向に隣接して前記駆動コイルが搭載されたコイル搭載部と、前記端末に係合して前記端末を前記中継基板に導く係合部とを有し、
前記係合部は、前記端末が前記基板搭載部において前記延在方向と直交する方向に前記ワイヤとずれて前記ワイヤと略平行になるように、前記端末を前記中継基板に導くことを特徴とする光ヘッド装置。
【請求項２】
前記ワイヤは、前記延在方向に直交する方向に複数並べられており、
前記端末は、複数の前記ワイヤの間に配設されていることを特徴とする請求項１に記載の光ヘッド装置。
【請求項３】
前記基板搭載部および前記コイル搭載部は、前記レンズホルダの外壁に形成されていることを特徴とする請求項１に記載の光ヘッド装置。
【請求項４】
対物レンズを搭載したレンズホルダと、前記レンズホルダに搭載されて前記レンズホルダを駆動させる駆動コイルと、延在方向に直交する方向に並べられて前記レンズホルダを可動状態に支持する複数のワイヤと、前記レンズホルダに搭載されて前記駆動コイルの端末および前記ワイヤを電気的に接続する中継基板とを有し、
前記レンズホルダは、前記延在方向に延在して前記中継基板が搭載された基板搭載部と、前記駆動コイルが収納された収納部と、前記基板搭載部に対して前記延在方向に隣接して前記収納部の開口が形成された開口壁と、前記開口を通った前記端末に係合して前記端末を前記中継基板に導く係合部とを有し、
前記係合部は、前記端末が前記基板搭載部の傍において前記複数のワイヤの並び方向に前記ワイヤとずれて前記ワイヤと略平行になるように、前記端末を前記中継基板に導くことを特徴とする光ヘッド装置。
【請求項５】
前記係合部は、前記基板搭載部の境界の近傍に形成されていることを特徴とする請求項１または請求項４に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、対物レンズを搭載したレンズホルダとしての可動ベースと、可動ベースに搭載されて可動ベースを駆動させる駆動コイルとしてのフォーカスコイルおよびトラッキングコイルと、延在方向に直交する方向に並べられて可動ベースを可動状態に支持する複数のワイヤとしての弾性材と、可動ベースに搭載されてフォーカスコイルの端末、トラッキングコイルの端末および弾性材を電気的に接続する中継基板とを有する光ピックアップが知られている（例えば、特許文献１参照。）。
【特許文献１】特開平９−１６１２８７号公報
【発明の開示】
【発明が解決しようとする課題】
【０００３】
しかしながら、従来の光ピックアップにおいては、可動ベースのうち中継基板が搭載された壁の傍において複数の弾性材の並び方向からフォーカスコイルの端末およびトラッキングコイルの端末が引き回されており、可動ベースのうち中継基板が搭載された壁の傍において弾性材と、フォーカスコイルの端末およびトラッキングコイルの端末とが交差しているので、弾性材が中継基板に半田付けされるときにフォーカスコイルの端末およびトラッキングコイルの端末が弾性材に接触する場合があり、その接触が中継基板への弾性材の接続の妨げになるという問題がある。
【０００４】
また、可動ベースの内壁に配設されたコイルの端末を可動ベースの高さ方向の端部を経由して可動ベースの外壁に配設された中継基板に導くように形成されている。そのため少なくともコイルの端末の直径分は、可動ベースの高さ方向における寸法が大きくなるという問題がある。
【０００５】
本発明は、従来の問題を解決するためになされたもので、レンズホルダに搭載された中継基板にワイヤが接続される作業を従来より容易化することができる光ヘッド装置を提供することを目的とする。
【課題を解決するための手段】
【０００６】
本発明の光ヘッド装置は、対物レンズを搭載したレンズホルダと、前記レンズホルダに搭載されて前記レンズホルダを駆動させる駆動コイルと、前記レンズホルダを可動状態に支持するワイヤと、前記レンズホルダに搭載されて前記駆動コイルの端末および前記ワイヤを電気的に接続する中継基板とを有し、前記レンズホルダは、前記ワイヤの延在方向に延在して前記中継基板が搭載された基板搭載部と、前記基板搭載部に対して前記延在方向に隣接して前記駆動コイルが搭載されたコイル搭載部と、前記端末に係合して前記端末を前記中継基板に導く係合部とを有し、前記係合部は、前記端末が前記基板搭載部において前記延在方向と直交する方向に前記ワイヤとずれて前記ワイヤと略平行になるように、前記端末を前記中継基板に導くことを特徴とする。
【０００７】
この構成により、本発明の光ヘッド装置は、基板搭載部の傍においてワイヤと、駆動コイルの端末とが交差しないので、ワイヤが中継基板に半田付けされるときに駆動コイルの端末がワイヤに接触することを防止することができ、レンズホルダに搭載された中継基板にワイヤが接続される作業を従来より容易化することができる。しかも、基板搭載部に対してワイヤの延在方向に隣接してコイル搭載部が配設されている。このように構成すると、コイル搭載部に搭載された駆動コイルの端末を基板搭載部に搭載された中継基板に引き回す際の作業が優れている。すなわち、基板搭載部とコイル搭載部とが離間した位置に配設されている場合に比較して引き回しが容易になるため引き回し作業の作業性が優れている。
【０００８】
また、本発明の光ヘッド装置の前記ワイヤは、前記延在方向に直交する方向に複数並べられており、前記端末は、複数の前記ワイヤの間に配設されていることが好ましい。
【０００９】
この構成により、本発明の光ヘッド装置は、延在方向に直交する方向に並べられた複数のワイヤの間に駆動コイルの端末が配設されているので、複数のワイヤの両端の外側に駆動コイルの端末が配設されている場合に比較して、複数のワイヤの並び方向、すなわちワイヤの延在方向と直交する方向における寸法を短縮することができる。
【００１０】
また、本発明の光ヘッド装置の前記基板搭載部および前記コイル搭載部は、前記レンズホルダの外壁に形成されていることが好ましい。
【００１１】
この構成により、本発明の光ヘッド装置は、基板搭載部およびコイル搭載部が共にレンズホルダの外壁に形成されているので、駆動コイルの端末をレンズホルダの高さ方向の端部を経由して引き出さなくてすむ。換言すれば、前記特許文献１のように基板搭載部がレンズホルダの外壁に形成されていてコイル搭載部がレンズホルダの内壁に形成されている場合や、反対に基板搭載部がレンズホルダの内壁に形成されていてコイル搭載部がレンズホルダの外壁に形成されている場合、レンズホルダの高さ方向の端部を経由して駆動コイルの端末を引き回さなくてはならない。なお、前記特許文献１のように基板搭載部がレンズホルダの外壁に形成されていてコイル搭載部がレンズホルダの内壁に形成されている場合や、反対に基板搭載部がレンズホルダの内壁に形成されていてコイル搭載部がレンズホルダの外壁に形成されている場合であっても、レンズホルダの壁に貫通孔を設ければこの貫通孔を通して駆動コイルの端末を引き回せば良いので、レンズホルダの高さ方向の端部を経由して駆動コイルの端末を引き回さなくても良いが、作業性が悪くなる。したがって、本発明の光ヘッド装置は、レンズホルダの高さ方向における寸法を短縮することができる点と、駆動コイルの端末の引き回しの作業性が良い点とで優れた構成になっている。
【００１２】
また、本発明の光ヘッド装置は、対物レンズを搭載したレンズホルダと、前記レンズホルダに搭載されて前記レンズホルダを駆動させる駆動コイルと、延在方向に直交する方向に並べられて前記レンズホルダを可動状態に支持する複数のワイヤと、前記レンズホルダに搭載されて前記駆動コイルの端末および前記ワイヤを電気的に接続する中継基板とを有し、前記レンズホルダは、前記延在方向に延在して前記中継基板が搭載された基板搭載部と、前記駆動コイルが収納された収納部と、前記基板搭載部に対して前記延在方向に隣接して前記収納部の開口が形成された開口壁と、前記開口を通った前記端末に係合して前記端末を前記中継基板に導く係合部とを有し、前記係合部は、前記端末が前記基板搭載部の傍において前記複数のワイヤの並び方向に前記ワイヤとずれて前記ワイヤと略平行になるように、前記端末を前記中継基板に導くことを特徴とする。
【００１３】
この構成により、本発明の光ヘッド装置は、基板搭載部の傍においてワイヤと、駆動コイルの端末とが交差しないので、ワイヤが中継基板に半田付けされるときに駆動コイルの端末がワイヤに接触することを防止することができ、レンズホルダに搭載された中継基板にワイヤが接続される作業を従来より容易化することができる。しかも、基板搭載部に対してワイヤの延在方向に隣接して収納部の開口が形成された開口壁が配設されている。このように構成すると、収納部に収納された駆動コイルの端末を開口壁の開口を通して基板搭載部に搭載された中継基板に引き回す際の作業が優れている。すなわち、基板搭載部と開口壁とが離間した位置に配設されている場合に比較して引き回しが容易になるため引き回し作業の作業性が優れている。
【００１４】
また、本発明の光ヘッド装置の前記係合部は、前記基板搭載部の境界の近傍に形成されていることを特徴とすることが好ましい。
【００１５】
この構成により、本発明の光ヘッド装置は、駆動コイルの端末が基板搭載部の傍に導入される開始地点である基板搭載部の境界の近傍に係合部があるので、基板搭載部の傍において駆動コイルの端末を高精度にワイヤと略平行にすることができる。
【発明の効果】
【００１６】
本発明によれば、駆動コイルの端末が基板搭載部においてワイヤとずれてワイヤと略平行になるように係合部が駆動コイルの端末を中継基板に導いているので、レンズホルダに搭載された中継基板にワイヤが接続される作業を従来より容易化することができる光ヘッド装置を提供することができる。
【発明を実施するための最良の形態】
【００１７】
以下、本発明の一実施の形態について、図面を用いて説明する。
【００１８】
まず、本実施の形態に係る光ヘッド装置の構成について説明する。
【００１９】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００２０】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２１】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２２】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２３】
金属カバー１２は、装置フレーム１１の突起１１ｃに嵌まる穴部１２ａと、装置フレーム１１の爪１１ｄに係合する溝部１２ｂとを備えている。
【００２４】
金属カバー１３は、対物レンズ３１から出射されるレーザ光を通過させる穴部１３ａを有しており、対物レンズ駆動機構４０を覆っている。
【００２５】
レーザ光源装置２１、レーザ光源装置２２およびモニタ用受光素子２３は、装置フレーム１１に搭載されており、金属カバー１２によって覆われている。
【００２６】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２７】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２８】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２９】
図４は、対物レンズ駆動機構４０の斜視図である。図５（ａ）、（ｂ）は、それぞれ対物レンズ駆動機構４０の平面図、左側面図である。図６（ａ）〜（ｃ）は、それぞれ対物レンズ駆動機構４０の正面図、背面図、底面図である。
【００３０】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成するトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００３１】
図７（ａ）は、ヨーク６０、ホルダ支持部材１１０および基板１２０の平面図である。図７（ｂ）は、ヨーク６０、ホルダ支持部材１１０および基板１２０の左側面図である。図８（ａ）、（ｂ）は、それぞれ図７（ａ）のＡ−Ａ矢視断面図、Ｂ−Ｂ矢視断面図である。
【００３２】
図７および図８に示すように、ヨーク６０は、駆動マグネット７１が固定される壁部６１と、壁部６１と平行に配置されて駆動マグネット７２が固定される壁部６２と、壁部６１および壁部６２を連結して装置フレーム１１（図２参照。）に設置される設置部６３と、設置部６３から立ち上げられてフォーカシング駆動コイル９３（図５（ａ）参照。）に挿入される挿入部６４と、壁部６２に対して壁部６１とは反対側で壁部６２と平行に配置された壁部６５と、壁部６２および壁部６５を連結して壁部６２に対して壁部６５を支持する支持部６６とを有している。壁部６１は、駆動マグネット７１の矢印Ｔｒ（図５（ａ）参照。）で示すトラッキング方向の位置決めに使用される円柱状の突起６１ａ、６１ｂと、駆動マグネット７１の矢印Ｆｏ（図５（ｂ）参照。）で示すフォーカシング方向の位置決めに使用される円柱状の突起６１ｃとを有している。壁部６２は、駆動マグネット７２の矢印Ｔｒで示すトラッキング方向の位置決めに使用される円柱状の突起６２ａ、６２ｂと、駆動マグネット７２の矢印Ｆｏで示すフォーカシング方向の位置決めに使用される円柱状の突起６２ｃとを有している。壁部６５は、ネジ１３０が螺合されるネジ穴６５ａと、ネジ穴６５ａの両側に開けられてホルダ支持部材１１０の位置決めに使用される穴６５ｂ（図４参照。）とを有している。
【００３３】
駆動マグネット７１、７２は、ヨーク６０の挿入部６４側がＮ極になっている。
【００３４】
図９は、レンズホルダ８０の正面側から見た斜視図であって、トラッキング駆動コイル９１を省略した図である。図１０は、レンズホルダ８０の背面側から見た斜視図である。図１１は、レンズホルダ８０の左側面図である。
【００３５】
図９〜図１１に示すように、レンズホルダ８０は、トラッキング駆動コイル９１、９２およびフォーカシング駆動コイル９３と、ワイヤ１０１〜１０３（図４参照。）とを電気的に接続する中継基板８１が接着剤によって貼り付けられている。ここで、レンズホルダ８０は、ワイヤ１０１〜１０３の矢印１０ａで示す延在方向に延在して中継基板８１が搭載された基板搭載部としての基板搭載壁８０ａと、基板搭載壁８０ａに対して矢印１０ａで示す方向に隣接してトラッキング駆動コイル９２が搭載されたコイル搭載部としてのコイル搭載壁８０ｂと、フォーカシング駆動コイル９３が収納された収納部８０ｃと、基板搭載壁８０ａに対して矢印１０ａで示す方向に隣接して収納部８０ｃの開口８５ａが形成された開口壁８０ｄとを有している。基板搭載壁８０ａは、コイル搭載壁８０ｂおよび開口壁８０ｄと直交している。
【００３６】
中継基板８１は、ワイヤ１０１、１０２、１０３がそれぞれ半田によって接続されるランド８１ａ、８１ｂ、８１ｃと、ランド８１ａと電気的に接続されていてフォーカシング駆動コイル９３が半田によって接続されるランド８１ｄと、ランド８１ｂと電気的に接続されていてトラッキング駆動コイル９１が半田によって接続されるランド８１ｅと、ランド８１ｃと電気的に接続されていてフォーカシング駆動コイル９３が半田によって接続されるランド８１ｆとを有している。
【００３７】
トラッキング駆動コイル９１、９２は、４つのコイルが一続きに繋がった４連コイルを構成している。４連コイルのうち両端に配置されているトラッキング駆動コイル９２からは、端末である引き出し線９２ａが出ている。トラッキング駆動コイル９１は、レンズホルダ８０の外壁から大きくはみ出すことを抑えるためにレンズホルダ８０の正面側の開口壁８０ｄに設けられた溝部８４ａ内に配置されている。トラッキング駆動コイル９２は、レンズホルダ８０の外壁から大きくはみ出すことを抑えるためにレンズホルダ８０の背面側のコイル搭載壁８０ｂに設けられた溝部８４ｂ内に配置されている。トラッキング駆動コイル９２から出た引き出し線９２ａは、レンズホルダ８０の側面側に突出している係合部としての突起８４ｃに引っ掛けられて中継基板８１のランド８１ｅに半田によって接続されている。レンズホルダ８０の突起８４ｃは、トラッキング駆動コイル９２の引き出し線９２ａがレンズホルダ８０の基板搭載壁８０ａの傍においてワイヤ１０１〜１０３の並び方向にワイヤ１０１〜１０３とずれてワイヤ１０１〜１０３と略平行になるように、トラッキング駆動コイル９２の引き出し線９２ａを中継基板８１のランド８１ｅに導くようになっている。
【００３８】
図４〜図６に示すように、トラッキング駆動コイル９１は、矢印Ｆｏで示すフォーカシング方向に延在する２辺のうち１辺が駆動マグネット７１と、ヨーク６０の挿入部６４との間に配置されている。ここで、駆動マグネット７１と、ヨーク６０の挿入部６４との間には、矢印Ｆｏで示すフォーカシング方向と、矢印Ｔｒで示すトラッキング方向との双方に直交する矢印１０ａで示す方向に磁界が発生している。したがって、トラッキング駆動コイル９１は、電流が流されることによって矢印Ｔｒで示すトラッキング方向の電磁力を受け、レンズホルダ８０に固定された対物レンズ３１を矢印Ｔｒで示すトラッキング方向に移動させる。トラッキング駆動コイル９１と、駆動マグネット７１およびヨーク６０の挿入部６４との位置関係について説明したが、トラッキング駆動コイル９２と、駆動マグネット７２およびヨーク６０の挿入部６４との位置関係についても同様である。なお、トラッキング駆動コイル９１、９２の配線は、トラッキング駆動コイル９１、９２に電流が流されたときにトラッキング駆動コイル９１、９２に発生する電磁力によって対物レンズ３１が矢印Ｔｒで示すトラッキング方向のみに移動するように適切に設定されている。
【００３９】
図９〜図１１に示すように、フォーカシング駆動コイル９３の両端からは、端末である引き出し線９３ａ、９３ｂが出ている。フォーカシング駆動コイル９３は、レンズホルダ８０の内部の収納部８０ｃに収納されている。フォーカシング駆動コイル９３は、トラッキング駆動コイル９１がレンズホルダ８０に固定される前にレンズホルダ８０の正面側から開口８５ａを介して収納部８０ｃの中に収納される。フォーカシング駆動コイル９３から出た引き出し線９３ａは、トラッキング駆動コイル９１の背面でレンズホルダ８０の側面に形成された係合部としての溝部８５ｂを通って、中継基板８１のランド８１ｄに半田によって接続されている。レンズホルダ８０の溝部８５ｂは、フォーカシング駆動コイル９３の引き出し線９３ａがレンズホルダ８０の基板搭載壁８０ａの傍においてワイヤ１０１〜１０３の並び方向にワイヤ１０１〜１０３とずれてワイヤ１０１〜１０３と略平行になるように、フォーカシング駆動コイル９３の引き出し線９３ａを中継基板８１のランド８１ｄに導くようになっている。フォーカシング駆動コイル９３から出た引き出し線９３ｂは、トラッキング駆動コイル９１の背面でレンズホルダ８０の側面に形成された係合部としての溝部８５ｃを通って、中継基板８１のランド８１ｆに半田によって接続されている。レンズホルダ８０の溝部８５ｃは、フォーカシング駆動コイル９３の引き出し線９３ｂがレンズホルダ８０の基板搭載壁８０ａの傍においてワイヤ１０１〜１０３の並び方向にワイヤ１０１〜１０３とずれてワイヤ１０１〜１０３と略平行になるように、フォーカシング駆動コイル９３の引き出し線９３ｂを中継基板８１のランド８１ｆに導くようになっている。
【００４０】
図４〜図６に示すように、フォーカシング駆動コイル９３は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、フォーカシング駆動コイル９３は、電流が流されることによって矢印Ｆｏで示すフォーカシング方向の電磁力を受け、２つのフォーカシング駆動コイル９３が矢印Ｆｏで示すフォーカシング方向のうち同じ向きの電磁力を受けることによってレンズホルダ８０に固定された対物レンズ３１を矢印Ｆｏで示すフォーカシング方向に移動させ、２つのフォーカシング駆動コイル９３が矢印Ｆｏで示すフォーカシング方向のうち逆向きの電磁力を受けることによってレンズホルダ８０に固定された対物レンズ３１を矢印Ｔｉで示すチルト方向に移動させる。
【００４１】
ワイヤ１０１〜１０３は、所定のバネ定数を有するワイヤであって、矢印１０ａで示す方向にそれぞれ延在して、矢印Ｔｒで示すトラッキング方向におけるレンズホルダ８０の両側に矢印Ｆｏで示すフォーカシング方向に沿って配設されている。ワイヤ１０１、１０３は、レンズホルダ８０側の端部でレンズホルダ８０上の中継基板８１を介してフォーカシング駆動コイル９３に電気的に接続されており、基板１２０側の端部で基板１２０に電気的に接続されている。ワイヤ１０２は、レンズホルダ８０側の端部でレンズホルダ８０上の中継基板８１を介してトラッキング駆動コイル９２に電気的に接続されており、基板１２０側の端部で基板１２０に電気的に接続されている。
【００４２】
図６に示すように、ホルダ支持部材１１０は、中央に形成されてネジ１３０を通す図示していない中央穴と、中央穴の両側に形成されて位置決めのためにヨーク６０の穴６５ｂに挿入される突起１１１と、中央穴の両側に形成されて基板１２０の位置決めのために使用される突起１１２と、突起１１１に対して中央穴とは反対側に形成されレンズホルダ８０側に開口してワイヤ１０１〜１０３が挿入されたゲルポット１１３と、ゲルポット１１３に連通し基板１２０側に開口してそれぞれワイヤ１０１、１０２、１０３が挿入された穴１１４、１１５、１１６とを有している。ゲルポット１１３には、ワイヤ１０１〜１０３が埋設される図示していないゲル状緩衝材が封入されている。ゲル状緩衝材は、ワイヤ１０１〜１０３が埋設されることによって、ワイヤ１０１〜１０３に対して固定されたレンズホルダ８０に発生しがちな共振現象を抑制するものである。
【００４３】
基板１２０は、中央に形成されてネジ１３０を通す図示していない中央穴と、中央穴の両側に形成されて位置決めのためにホルダ支持部材１１０の突起１１２が挿入される穴１２１と、穴１２１に対して中央穴とは反対側に形成されてそれぞれワイヤ１０１〜１０３が挿入される貫通穴１２２〜１２４とを有している。
【００４４】
次に、レンズホルダ８０上の中継基板８１へのワイヤ１０１〜１０３の接続方法について説明する。
【００４５】
図１２は、レンズホルダ８０の左側面図であって、中継基板８１にワイヤ１０１〜１０３が接続される前の図である。
【００４６】
まず、図１２に示すように、レンズホルダ８０は、基板搭載壁８０ａに搭載された中継基板８１にトラッキング駆動コイル９２の引き出し線９２ａ、フォーカシング駆動コイル９３の引き出し線９３ａ、９３ｂが半田によって接続された状態で、図示していない治具によってヨーク６０と位置合わせが行われる。ここで、ヨーク６０には、駆動マグネット７１、７２、ワイヤ１０１〜１０３、ホルダ支持部材１１０、基板１２０などが既に固定されている。
【００４７】
そして、ワイヤ１０１、１０２、１０３は、それぞれ中継基板８１のランド８１ａ、８１ｂ、８１ｃに半田によって接続された後、ランド８１ａ、８１ｂ、８１ｃよりトラッキング駆動コイル９１側の余分な部分が切り落とされて、図１１に示す状態になる。
【００４８】
以上に説明したように、光ヘッド装置１０は、レンズホルダ８０の基板搭載壁８０ａの傍においてワイヤ１０１〜１０３と、トラッキング駆動コイル９２の引き出し線９２ａ、フォーカシング駆動コイル９３の引き出し線９３ａ、９３ｂとが交差しないので、ワイヤ１０１〜１０３が中継基板８１に半田付けされるときにトラッキング駆動コイル９２の引き出し線９２ａ、フォーカシング駆動コイル９３の引き出し線９３ａ、９３ｂがワイヤ１０１〜１０３に接触することを防止することができ、レンズホルダ８０に搭載された中継基板８１にワイヤ１０１〜１０３が接続される作業を従来より容易化することができる。
【００４９】
また、基板搭載壁８０ａに対してワイヤ１０１〜１０３の延在方向に隣接してコイル搭載壁８０ｂが配設されている。このように構成すると、コイル搭載壁８０ｂに搭載されたトラッキング駆動コイル９２の引き出し線９２ａを基板搭載壁８０ａに搭載された中継基板８１に引き回す際の作業が優れている。すなわち、基板搭載壁８０ａとコイル搭載壁８０ｂとが離間した位置に配設されている場合に比較して引き回しが容易になるため引き回し作業の作業性が優れている。
【００５０】
また、基板搭載壁８０ａに対してワイヤ１０１〜１０３の延在方向に隣接して収納部８０ｃの開口８５ａが形成された開口壁８０ｄが配設されている。このように構成すると、収納部８０ｃに収納されたフォーカシング駆動コイル９３の引き出し線９３ａ、９３ｂを開口壁８０ｄの開口８５ａを通して基板搭載壁８０ａに搭載された中継基板８１に引き回す際の作業が優れている。すなわち、基板搭載壁８０ａと開口壁８０ｄとが離間した位置に配設されている場合に比較して引き回しが容易になるため引き回し作業の作業性が優れている。
【００５１】
また、光ヘッド装置１０は、延在方向に直交する方向に並べられたワイヤ１０１〜１０３の間にトラッキング駆動コイル９２の引き出し線９２ａが配設されているので、ワイヤ１０１〜１０３の両端の外側にトラッキング駆動コイル９２の引き出し線９２ａが配設されている場合に比較して、ワイヤ１０１〜１０３の並び方向における寸法、すなわち、レンズホルダ８０の高さ方向における寸法を短縮することができる。
【００５２】
また、光ヘッド装置１０は、基板搭載壁８０ａおよびコイル搭載壁８０ｂが共にレンズホルダ８０の外壁に形成されているので、トラッキング駆動コイル９２の引き出し線９２ａをレンズホルダ８０の高さ方向の端部を経由して引き出さなくてすむ。換言すれば、前記特許文献１のように基板搭載壁８０ａがレンズホルダ８０の外壁に形成されていてコイル搭載壁８０ｂがレンズホルダ８０の内壁に形成されている場合や、反対に基板搭載壁８０ａがレンズホルダ８０の内壁に形成されていてコイル搭載壁８０ｂがレンズホルダ８０の外壁に形成されている場合、レンズホルダ８０の高さ方向の端部を経由してトラッキング駆動コイル９２の引き出し線９２ａを引き回さなくてはならない。なお、前記特許文献１のように基板搭載壁８０ａがレンズホルダ８０の外壁に形成されていてコイル搭載壁８０ｂがレンズホルダ８０の内壁に形成されている場合や、反対に基板搭載壁８０ａがレンズホルダ８０の内壁に形成されていてコイル搭載壁８０ｂがレンズホルダ８０の外壁に形成されている場合であっても、レンズホルダ８０の壁に貫通孔を設ければこの貫通孔を通してトラッキング駆動コイル９２の引き出し線９２ａを引き回せば良いので、レンズホルダ８０の高さ方向の端部を経由してトラッキング駆動コイル９２の引き出し線９２ａを引き回さなくても良いが、作業性が悪くなる。したがって、光ヘッド装置１０は、レンズホルダ８０の高さ方向における寸法を短縮することができる点と、トラッキング駆動コイル９２の引き出し線９２ａの引き回しの作業性が良い点とで優れた構成になっている。
【００５３】
また、光ヘッド装置１０は、トラッキング駆動コイル９２の引き出し線９２ａ、フォーカシング駆動コイル９３の引き出し線９３ａ、９３ｂがレンズホルダ８０の基板搭載壁８０ａの傍に導入される開始地点である基板搭載壁８０ａの境界の近傍に係合部である突起８４ｃや溝部８５ｂ、８５ｃがあるので、レンズホルダ８０の基板搭載壁８０ａの傍においてトラッキング駆動コイル９２の引き出し線９２ａ、フォーカシング駆動コイル９３の引き出し線９３ａ、９３ｂを高精度にワイヤ１０１〜１０３と略平行にすることができる。
【図面の簡単な説明】
【００５４】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図である。
【図５】（ａ）図１に示す対物レンズ駆動機構の平面図である。  （ｂ）図１に示す対物レンズ駆動機構の左側面図である。
【図６】（ａ）図１に示す対物レンズ駆動機構の正面図である。  （ｂ）図１に示す対物レンズ駆動機構の背面図である。  （ｃ）図１に示す対物レンズ駆動機構の底面図である。
【図７】（ａ）図２に示すヨーク、ホルダ支持部材および基板の平面図である。  （ｂ）図２に示すヨーク、ホルダ支持部材および基板の左側面図である。
【図８】（ａ）図７（ａ）のＡ−Ａ矢視断面図である。  （ｂ）図７（ａ）のＢ−Ｂ矢視断面図である。
【図９】図１に示すレンズホルダの正面側から見た斜視図であって、トラッキング駆動コイルを省略した図である。
【図１０】図１に示すレンズホルダの背面側から見た斜視図である。
【図１１】図１に示すレンズホルダの左側面図である。
【図１２】図１に示すレンズホルダの左側面図であって、中継基板にワイヤが接続される前の図である。
【符号の説明】
【００５５】
１０  光ヘッド装置
３１  対物レンズ
８０  レンズホルダ
８０ａ  基板搭載壁（基板搭載部）
８０ｂ  コイル搭載壁（コイル搭載部）
８０ｃ  収納部
８０ｄ  開口壁
８１  中継基板
８４ｃ  突起（係合部）
８５ａ  開口
８５ｂ、８５ｃ  溝部（係合部）
９１、９２  トラッキング駆動コイル（駆動コイル）
９２ａ  引き出し線（端末）
９３  フォーカシング駆動コイル（駆動コイル）
９３ａ、９３ｂ  引き出し線（端末）
１０１〜１０３  ワイヤ
【図１】
2009238295.tif 000003
【図２】
2009238295.tif 000004
【図３】
2009238295.tif 000005
【図４】
2009238295.tif 000006
【図５】
2009238295.tif 000007
【図６】
2009238295.tif 000008
【図７】
2009238295.tif 000009
【図８】
2009238295.tif 000010
【図９】
2009238295.tif 000011
【図１０】
2009238295.tif 000012
【図１１】
2009238295.tif 000013
【図１２】
2009238295.tif 000014